(57)【要約】【課題】  ポジフィルムに担持された画像情報を透過光によって取得するために、ポジフィルムを透過光の光軸上に支持することができ、且つ、ポジフィルムの黒い未露光周縁部の外側からの光漏れを防止する矩形のマスキング領域が設けられているフィルムマスクであって、ポジフィルムの画像駒の左右の端部付近の濃度が非常に高いために画像の端部を未露光周縁部から識別し難い時にも、ポジフィルムの画像領域の全体が矩形のマスキング領域内に確実に入るようにポジフィルムをフィルムマスクに対して位置調整し易いフィルムマスクを提供する。【解決手段】  マスキング領域３２の少なくとも一辺に、マスキング領域３２の開口部３２ａを部分的に拡張する補助凹部３２ｂが形成されている構成とした。【選択図】        図６
2005084393.tif 000002
【特許請求の範囲】
【請求項１】
ポジフィルムに担持された画像情報を透過光によって取得するために、前記ポジフィルムを前記透過光の光軸上に支持することができ、且つ、前記ポジフィルムの黒い未露光周縁部の外側からの光漏れを防止する矩形のマスキング領域が設けられているフィルムマスクであって、
前記マスキング領域の少なくとも一辺に、前記マスキング領域の開口部を部分的に拡張する補助凹部が形成されているフィルムマスク。
【発明の詳細な説明】
【技術分野】
【０００１】
本発明は、ポジフィルムに担持された画像情報を透過光によって取得するために、前記ポジフィルムを前記透過光の光軸上に支持することができ、且つ、前記ポジフィルムの黒い未露光周縁部の外側からの光漏れを防止する矩形のマスキング領域が設けられているフィルムマスクに関するものである。
【背景技術】
【０００２】
この種のフィルムマスクに関連する公知技術としては、本発明に関連する先行技術文献情報として下記に示す特許文献１に記された写真画像読取り装置のネガマスクがある。この特許文献１に記されたネガマスクは、固定部上でフィルムを保持しつつ副走査方向に移動できる可動部を有し、この可動部に、長方形の空隙を備えた窓枠状の下側枠体と上側枠体とが設けられ、両枠体の間にガラス板が配置されている。上側枠体は回転させて開閉操作が可能であり、ガラス板の下側に大型のフィルム（ブローニーフィルムなど）をセットできるようになっている。そこで、可動部を駆動機構で副走査方向に駆動させれば、フィルムは可動部と一体的に移動し、ラインＣＣＤによるフィルムのスキャニングが実施される。尚、この特許文献１には、ポジフィルムの黒い未露光周縁部の外側からの光漏れを防止する矩形のマスキング領域についての記載は見られないが、ポジフィルムを処理する場合には、ポジフィルムの黒い未露光周縁部の外側からの光漏れを防止するための矩形のマスキング領域をガラス板の周辺部などを黒色に塗装する等の手法で設けることが一般に行われている。
【特許文献１】特開平１１−３１７８５３号公報（段落番号００２４〜００２６、００３０、図６）
【発明の開示】
【発明が解決しようとする課題】
【０００３】
しかし、特許文献１のフィルムマスクに対して、ポジフィルムの黒い未露光周縁部の外側からの光漏れを防止するための矩形のマスキング領域を設けた構成では、特に、ポジフィルムの画像駒の左右の端部付近の濃度が非常に高いために未露光周縁部と区別し難い事例では、ポジフィルムの画像領域の全体が矩形のマスキング領域内に（マスキング領域による画像のケラレを生じさせることなく）確実に入るようにポジフィルムをフィルムマスクに対して（左右方向すなわちロールフィルムの長手方向に関して）位置調整する作業が困難となる傾向があった。
【０００４】
したがって、本発明の目的は、上に例示した従来技術によるフィルムマスクの持つ前述した欠点に鑑み、ポジフィルムの画像駒の左右の端部付近の濃度が非常に高いために画像の端部を未露光周縁部から識別し難い時にも、ポジフィルムの画像領域の全体が矩形のマスキング領域内に確実に入るようにポジフィルムをフィルムマスクに対して位置調整し易いフィルムマスクを提供することにある。
【課題を解決するための手段】
【０００５】
本発明の第１の特徴は、ポジフィルムに担持された画像情報を透過光によって取得するために、前記ポジフィルムを前記透過光の光軸上に支持することができ、且つ、前記ポジフィルムの黒い未露光周縁部の外側からの光漏れを防止する矩形のマスキング領域が設けられているフィルムマスクであって、
前記マスキング領域の少なくとも一辺に、前記マスキング領域の開口部を部分的に拡張する補助凹部が形成されていることである。
【０００６】
したがって、本発明の第１の特徴構成によるフィルムマスクでは、ポジフィルムをフィルムマスクに対して左右に微妙に移動させながら（マスキング領域による画像のケラレが全くない）正規位置を探す時に、位置決めしようとしている画像駒のエッジ部分が補助凹部を横断する時のフィルム位置を参考にして探すこと、或いは、隣の画像駒が補助凹部に進入開始する時のフィルム位置を参考にして探すことができるので、ポジフィルムの画像駒の左右の端部付近の濃度が非常に高いために未露光周縁部と区別し難い時にも、ポジフィルムの画像領域の全体が矩形のマスキング領域内に確実に入るようにポジフィルムをフィルムマスクに対して位置調整し易くなる。
尚、「位置決めしようとしている画像駒のエッジ部分が補助凹部を横断する時のフィルム位置を参考にして探す」とは、ポジフィルムをフィルムマスクに対して左右に微妙に移動させている間に、例えば、位置決めしようとしている画像駒の左のエッジ部分が補助凹部を上下に横断する状態が得られると（この状態は比較的見付け易い場合が多い）、この時に左端側の画像がマスキング領域によって僅かにケラレていることになるので、これよりも僅かにポジフィルムを右に移動させた辺りに正規位置がある筈であると判断でき、この判断を参考にしてより簡単に正規位置を見つけ出すことができることを指す。
また、「隣の画像駒が補助凹部に進入開始する時のフィルム位置を参考にして探す」とは、ポジフィルムをフィルムマスクに対して左右に微妙に移動させている間に、例えば、位置決めしようとしている画像駒の左隣の画像駒のエッジが補助凹部に進入開始する状態が得られると（この状態は比較的見付け易い場合が多い）、この時に位置決めしようとしている画像駒が右に寄り過ぎており、右端側の画像がマスキング領域によってケラレていることになるので、これよりもポジフィルムを左に移動させた辺りに正規位置がある筈と判断でき、この判断を参考にしてより簡単に正規位置を見つけ出すことができることを指す。
【０００７】
本発明によるその他の特徴および利点は、以下図面を用いた実施形態の説明により明らかになるであろう。
【発明を実施するための最良の形態】
【０００８】
本発明の実施形態の一例について図面に基づいて解説する。
本発明によるフィルムマスクの最良の実施形態の一つについて、図面を参照しながら以下に解説する。
（画像入力ステーション１の構成）
図１は、種々の記録媒体から画像データを取り込むための画像入力ステーション１を示す。画像入力ステーション１には、現像済みの写真フィルムＦに担持されているアナログ画像データを透過光に基づいて取得するフィルムスキャナ部２、フィルムスキャナ部２によって取得された画像情報を処理するための制御装置７、処理された画像情報を視覚化するためのモニタ８などが設けられている。制御装置７には、データを処理するためのコンピュータ（不図示）、及び、現像済みの写真フィルム以外のデジタル記録メディアから画像情報を取得するためのメディアリーダ部７ａが備えられている。このデジタル記録メディアとしては、例えば、ＣＤ−ＲＯＭ、ＣＤ−Ｒ、ＭＯ、コンパクトフラッシュ（商標）その他が含まれる。画像入力ステーション１によって得られた画像データは、前記コンピュータによって処理された後、例えば、画像入力ステーション１に隣接配置された写真プリント装置（不図示）などによって写真プリントとして出力することができる。
【０００９】
（フィルムスキャナ部２の構成）
フィルムスキャナ部２には、光源部３、複数のタイプのフィルムキャリアを装着可能なフィルムキャリア装着部４、光源部３から発されフィルムキャリア内の写真フィルムを透過した透過光を受けるラインＣＣＤ６、及び、ラインＣＣＤ６に結像する画像の倍率を写真フィルムの幅に応じて変更するズームレンズユニット５などが備えられている。
フィルムキャリア装着部４には、フィルムが搬送されるレーンを切り換えることによって１３５フィルムとＩＸ２４０（ＡＰＳ）フィルムのいずれも支持可能な１３５ＡＰＳ兼用オートフィルムキャリア（不図示）、或いは、（６ｃｍ×６ｃｍ、６ｃｍ×７ｃｍ、６ｃｍ×９ｃｍなどの）種々のフォーマットで撮影された１２０（２２０）フィルム、及び、紙やプラスチック製のマウントに保持されたスライドフィルム等を含む種々のフィルムを選択的に支持可能なマルチマスクキャリア１０を装着することができる。
【００１０】
（マルチマスクキャリア１０の構成）
図２（イ）に示すように、マルチマスクキャリア１０は、フィルムキャリア装着部４に装着されるキャリア本体１２と、キャリア本体１２上を左右に一定速度で移動する移動テーブル１８とを備えている。
キャリア本体１２には、左右に延びた軸芯回りで回転可能な螺軸１３、螺軸１３を回転駆動するためのステッピングモータ１４、及び、螺軸１３とステッピングモータ１４とを同期回転させるためのタイミングベルト１５が設けられている。また、図２（ロ）に示すように、キャリア本体１２の左右の中央より右寄りには、ホームポジションに位置する移動テーブル１８に支持された写真フィルムをＬＥＤ光源からなるバックライトで照射するフィルムビュワー１６が設けられている。さらに、キャリア本体１２の左右の中央より左寄りには、透過光をズームレンズユニット５並びにラインＣＣＤ６へ到達させるための光透過用スリット１２ａが前後方向に細長く延びている。
【００１１】
他方、移動テーブル１８には、螺軸１３と常に螺合したナット部１８ａが備えられている。そこで、螺軸１３をステッピングモータ１４によって定速回転させることによって、移動テーブル１８を一定の速度で左右に移動させることができる。
更に、移動テーブル１８には、図３に示すように、移動テーブル１８に支持される写真フィルムＦの最大サイズの画像駒（約６ｃｍ×約９ｃｍ）を包囲可能な矩形窓状の開口フレーム部１８ｂと、後述するマウントキャリアを磁力で吸着して移動テーブル１８上に固定するためのマグネット１９が設けられている。
マルチマスクキャリア１０の移動テーブル１８には、１２０（２２０）フィルムを支持するための１２０フィルムマスク２５（本発明によるフィルムマスクの一例）、及び、スライドマウントを支持するためのマウントマスク（不図示）等、複数の種類のフィルムマスクを載置することができる。
【００１２】
（１２０フィルムマスク２５の構成）
ここでは、１２０フィルムマスク２５の一例として、６ｃｍ×９ｃｍのフォーマットで撮影された１２０（２２０）ポジフィルムＦを支持するためのものを取り上げる。
図３と図４に示すように、１２０フィルムマスク２５は、移動テーブル１８に吸着される概して板状のマスク本体３０と、マスク本体３０に対して揺動可能に支持されたマスクカバー４０とを有する。
図４に示すように、マスク本体３０には矩形の開口部３０ａが設けられており、ここにフィルムを支持するための支持プレート３１が嵌め込まれている。支持プレート３１はガラス板からなり、その周縁部には矩形のマスキング領域３２が設けられている。マスキング領域３２は、前記ガラス板の上面にシルクスクリーン印刷で遮光性の黒色塗料を塗布することによって形成されており、支持プレート３１にポジフィルムが支持された時に、光源部３からの光がポジフィルムの黒い未露光周縁部の外側から漏れてハレーションなどを起こすのを防止する役目を果たす。マスキング領域３２の内側に形成された概して矩形の開口部３２ａは無色透明のガラス板からなる。尚、マスキング領域３２の左右の辺の中心部には、マスキング領域３２の開口部３２ａを部分的に拡張する補助凹部３２ｂが形成されている。左右の各補助凹部３２ｂは外向きに突出した略半円状を呈している。
【００１３】
図４と図６に示すように、マスク本体３０の後方には左右一対のブラケット部３０ｂ，３０ｃが一体的に立設されており、これらのブラケット部３０ｂ，３０ｃの間には支持シャフト３３が横向きに支持されている。また、左側のブラケット部３０ｂの支持シャフト３３よりも手前側の箇所には規制ピン３４が固定されている。また、マスク本体３０の裏面には、移動テーブル１８のマグネット１９によって吸着される強磁性金属片２３が固定されている。
マスクカバー４０は、マスク本体３０の支持シャフト３３によって揺動自在に支持される鉄製のカバー本体４１と、カバー本体４１の内面側に懸架された押さえ板４２とを有する。カバー本体４１と押さえ板４２には、マスク本体３０のマスキング領域３２の開口部３２ａを上回る寸法の矩形の開口部が形成されている。図７に示すように、押さえ板４２の開口部の四隅付近には支持軸４３が立設されており、カバー本体４１の対応箇所には、これらの支持軸４３を挿通可能な貫通孔が形成されている。押さえ板４２は、各支持軸４３をカバー本体４１の前記貫通孔に挿通した上で、支持軸４３の先端にＥリングを係止することで、カバー本体４１に対して上下に数ｍｍの範囲で移動自在に支持されており、さらに、支持軸４３の基端側とカバー本体４１の下面の間には、押さえ板４２を下方に向けて付勢するコイルバネ４４が介装されている。
【００１４】
図４と図６に示すように、カバー本体４１の後方の右側には、左右一対の縦フランジ部４５ａ，４５ｂが折り曲げ加工によって一体的に設けられており、この縦フランジ部４５ａ，４５ｂに形成された貫通孔４６に支持シャフト３３が挿通されている。右側の縦フランジ部４５ｂとマスク本体３０の右側のブラケット部３０ｃとの間に形成される間隙には支持シャフト３３に外嵌するコイルバネ４７が介装されている。このコイルバネ４７によって、カバー本体４１の左側の縦フランジ部４５ａはマスク本体３０の左側のブラケット部３０ｂの側面に押し付け付勢されている。また、カバー本体４１の後方の左側には、移動テーブル１８の奥側に配置された電磁石２０によって吸着される被吸着部４９が設けられている。因みに、マルチマスクキャリア１０のキャリア本体１２には、電磁石２０の吸引力を入り切りするためのＯＮ／ＯＦＦスイッチ２１が配置されている。
また、カバー本体４１の左側の縦フランジ部４５ａには、カバー本体４１の規制ピン３４を受け入れる貫通孔状の規制孔４８が形成されている。規制孔４８の上下寸法（シャフト３３の軸芯を中心にした半径方向の寸法）は規制ピン３４の外径を上回るように設定されている。規制ピン３４が規制孔４８内に係入されている状態で、規制孔４８はカバー本体４１の揺動範囲を、マスクカバー４０がマスク本体３０に押し付けられた「全閉位置」と、マスクカバー４０が約２０°の角度で開いた「半開位置」との間に規制する役目を果たしている。「半開位置」では、マスクカバー４０とマスク本体３０の支持プレート３１との間に十分な間隔が得られるので、オペレータは支持プレート３１上にポジフィルムＦを安全に（すなわち、ポジフィルムＦを傷付けずに）載置させることができ、同時に、ポジフィルムＦをマスキング領域３２に対して左右に自由に位置調節できる。
尚、マスクカバー４０が図５（ニ）に示す「全閉位置」に保持されるのは、１２０フィルムマスク２５がマグネット１９によって移動テーブル１８上に固定され、電磁石２０によって被吸着部４９に吸着力が作用している場合か、オペレータがマスクカバー４０を手で下方に押し続けている場合に限られ、「全閉位置」においてこれらの作用が除かれると、図５（ハ）に示すように、マスクカバー４０は、電磁石２０の吸引力を解除した時にマスクカバー４０を支持プレート３１から僅かに離間させるために設けられた付勢ピン３６による支持作用によって、マスクカバー４０が約５°の角度で開いた「閉鎖前位置」まで上昇する。
【００１５】
オペレータが「閉鎖前位置」にあるマスクカバー４０の手前側の部位を上方に跳ね上げると、図５（ロ）に示すように、マスクカバー４０は「半開位置」まで揺動操作され、半開保持機構によって「半開位置」に保持される。図７と図８に示すように、この半開保持機構は、支持シャフト３３に揺動自在に支持された補助揺動部材５０と、カバー本体４１の左右一対の縦フランジ部４５ａ，４５ｂの間に折り曲げ加工によって一体的に設けられた横フランジ部４５ｄとによって構成されている。図８に示すように、横フランジ部４５ｄは左側の縦フランジ部４５ａの基端部４５ｃ（規制孔４８の上端と同じレベルに位置する）よりも下方に配置されている。補助揺動部材５０は、支持シャフト３３に揺動自在に支持された基端部５０ａと、基端部５０ａの側面の一部から手前側に延びた突起部５０ｂとを有し、突起部５０ｂの下面には、横フランジ部４５ｄを吸着可能な永久磁石５１が固着されている。また、補助揺動部材５０から側方には、縦フランジ部４５ａの基端部４５ｃと係合可能な係合ピン５２が横向きに立設されている。カバー本体４１は補助揺動部材５０に対して、図７（イ）に示すように横フランジ部４５ｄが補助揺動部材５０の永久磁石５１に吸着された吸着位置と、図７（ロ）に示すように横フランジ部４５ｄが補助揺動の突起部５０ｂから離間し、係合ピン５２が基端部４５ｃと係合した離間位置との間で相対移動可能に構成されている。
【００１６】
補助揺動部材５０は、基端部５０ａの下面がマスク本体３０の上面に接当した水平姿勢（図７に示す状態）と、基端部５０ａの下面がマスク本体３０の上面から離間した傾斜姿勢（図４に例示する状態）との間で揺動可能に設けられている。尚、実際には、規制ピン３４が規制孔４８内に係入されている状態では、補助揺動部材５０は前記水平姿勢に保持されている。したがって、前述したように、オペレータがマスクカバー４０を「閉鎖前位置」から上方に向けて少し揺動操作すると、後は横フランジ部４５ｄが補助揺動部材５０の永久磁石５１の吸引力によって自動的に引き寄せられて、補助揺動部材５０または永久磁石５１と接当した状態で吸着保持されるので、マスクカバー４０が「半開位置」に保持される。この「半開位置」において、オペレータは、先ずポジフィルムＦをマスクカバー４０の下面とマスク本体３０との間に形成された空間内に入れ、支持プレート３１上に載置することができる。次に、この「半開位置」のままでポジフィルムＦの画像駒Ｆａをマスキング領域３２内に合わせる作業がフィルムビュワー１６からのバックライトを用いて行われる。この作業の目的は、画像駒Ｆａの全体がマスキング領域３２内にあり、マスキング領域３２によるケラレが無い状態を求めることにある。マスクカバー４０が半開保持機構によって（すなわち両手をマスクカバー４０から放した状態で）半開位置に保持されるので、ポジフィルムＦをマスクカバー４０の下方の空間内に入れる操作とポジフィルムＦを左右に微調整する操作を、両手を用いて容易に、またポジフィルムＦを傷付けずに行うことができる。前述したように、マスキング領域３２の左右の辺の中心部には、マスキング領域３２の開口部３２ａを部分的に拡張する補助凹部３２ｂが形成されているので、図６に示すように、ポジフィルムＦの画像駒Ｆａをマスキング領域３２内に合わせる作業、特に、ポジフィルムＦを左右に微調整する操作が容易にできる。
次に、マスクカバー４０が図５（ロ）に示す「半開位置」に保持されている状態から、オペレータがマスクカバー４０の手前側の部位を下方に押し下げると（オペレータは左右の中指などでポジフィルムＦを押さえたままで、マスクカバー４０の手前側の部位を親指で押し下げ可能なので、ポジフィルムＦがずれない）、横フランジ部４５ｄが補助揺動部材５０の永久磁石５１から大きく離間操作されるので、補助揺動部材５０の吸着力から解放され図５（ハ）に示す「閉鎖前位置」に保持される。ポジフィルムＦの画像駒Ｆａの位置が良好であれば、ここで、ＯＮ／ＯＦＦスイッチ２１をＯＮに切り換えることで、図５（ニ）に示すように、マスクカバー４０を「全閉位置」とし、スキャニングを開始する。
尚、マスクカバー４０が「全閉位置」にある時には、補助揺動部材５０の下面は、係合ピン５２と縦フランジ部４５ａの基端部４５ｃとの係合を介して、マスク本体３０の上面に押し付けられており、この押し付けに基づいて、横フランジ部４５ｄとの吸着状態から解放されている補助揺動部材５０が、スキャニング中などに振動することが防止されている。
【００１７】
スキャニングが完了したら、オペレータはＯＮ／ＯＦＦスイッチ２１をＯＦＦに切り換えることで、マスクカバー４０を「閉鎖前位置」にし、次に、マスクカバー４０を「半開位置」に切り換えると、ポジフィルムＦを１２０フィルムマスク２５から安全に抜き取ることができる。その後、１２０フィルムマスク２５を移動テーブル１８から取り外し、図８の矢印で示すように、マスクカバー４０をコイルバネ４７の付勢力に抗して、カバー本体４１の左側の縦フランジ部４５ａがマスク本体３０のブラケット部３０ｂから離間するように、マスク本体３０に対して右向きに摺動移動させながら開くと、図５（イ）及び図４に示すように、カバー本体４１の規制ピン３４が規制孔４８の外に抜け出し、マスクカバー４０を１２０°以上の角度で開いた「全開位置」に切り換えることができる。「全開位置」への切り換え操作に際しては、補助揺動部材５０は横フランジ部４５ｄを吸着した状態を維持しながら、マスクカバー４０と一体的に摺動移動並びに揺動する。このために補助揺動部材５０は、支持シャフト３３に対して支持シャフト３３の軸芯方向に沿って相対移動自在に設けられている。この「全開位置」では、支持プレート３１の上面或いは押さえ板４２下面のクリーニングなどのメンテナンス作業を容易に行うことができる。
【００１８】
〔別実施形態〕
マスキング領域３２の開口部３２ａを部分的に拡張する補助凹部３２ｂは、必ずしもマスキング領域３２の左右の辺の中心部に設ける必要はなく、左右の辺の中心部から上下のいずれかに変位した位置に設けても良く、また、マスキング領域３２の左右の辺に沿って複数の補助凹部を設けても良い。さらに、マスキング領域の形態次第ではマスキング領域３２の上下の辺に設けても有効な場合がある。
【図面の簡単な説明】
【００１９】
【図１】記録媒体から画像データを取り込む画像入力ステーションを示す斜視図
【図２】マルチマスクキャリア１０と移動テーブル１８上の１２０フィルムマスク２５を示す平面図
【図３】マルチマスクキャリア１０と１２０フィルムマスク２５を示す斜視図
【図４】１２０フィルムマスク２５を示す斜視図
【図５】マスクカバー４０の各姿勢を示す説明図
【図６】１２０フィルムマスク２５とポジフィルムＦを示す平面図
【図７】半開保持機構を示す説明図
【図８】１２０フィルムマスク２５の要部を示す破断正面図
【符号の説明】
【００２０】
１  画像入力ステーション
２  フィルムスキャナ部
３  光源部
４  フィルムキャリア装着部
５  ズームレンズユニット
６  ラインＣＣＤ
７  制御装置
８  モニタ
１０  マルチマスクキャリア
１２  キャリア本体
１２ａ  光透過用スリット
１３  螺軸
１４  ステッピングモータ
１５  タイミングベルト
１６  フィルムビュワー
１８  移動テーブル
１８ａ  ナット部
１８ｂ  開口フレーム部
１９  マグネット
２０  電磁石
２１  ＯＮ／ＯＦＦスイッチ
２３  強磁性金属片
２５  １２０フィルムマスク
Ｆ  ポジフィルム
３０  マスク本体
３０ａ  開口部
３０ｂ，３０ｃ  ブラケット部
３１  支持プレート
３２  マスキング領域
３２ａ  開口部
３２ｂ  補助凹部
３３  支持シャフト
３４  規制ピン
４０  マスクカバー
４１  カバー本体
４２  押さえ板
４３  支持軸
４４  コイルバネ
４５ａ，４５ｂ  縦フランジ部
４５ｃ  基端部
４５ｄ  横フランジ部
４６  貫通孔
４７  コイルバネ
４８  規制孔
４９  被吸着部
５０  補助揺動部材
５０ａ  基端部
５０ｂ  突起部
５１  永久磁石
５２  係合ピン
【図１】
2005084393.tif 000003
【図２】
2005084393.tif 000004
【図３】
2005084393.tif 000005
【図４】
2005084393.tif 000006
【図５】
2005084393.tif 000007
【図６】
2005084393.tif 000008
【図７】
2005084393.tif 000009
【図８】
2005084393.tif 000010